(57)【特許請求の範囲】
【請求項１】
予め設計通りの水路勾配に合わせて上端を切り揃えた複数の差し筋が上方に向けて突設されている基礎コンクリートの上に、下方が開口している水路構築用ブロックを載置すると共に、当該水路構築用ブロックの内側で、前記複数の差し筋の上に、上方に水路用溝を有し、かつ、「下方にアールをつけて凸湾曲している形状」又は「前記水路用ブロックの内壁面に沿って折れ曲がり下方に突出している形状」の底面形成部材を載置し、該底面形成部材の上端の両側端を前記水路用ブロックの両側壁の内壁に摺接させ、前記基礎コンクリートの上側と前記水路構築用ブロックを構成する両側壁の内側と前記底面形成部材下側との間の空隙部に充填材を充填して固化させてなり、前記底面構成部材は、塩化ビニール又は粗度係数が０．０１２未満の材料から構成することを特徴とした水路の構築方法。
【請求項２】
基礎コンクリートの上に、下方が開口している水路構築用ブロックを載置すると共に、当該水路構築用ブロックの内側で、前記基礎コンクリートの上に、上方に水路用溝を有し、かつ、「下方にアールをつけて凸湾曲している形状」又は「前記水路用ブロックの内壁面に沿って折れ曲がり下方に突出している形状」の底面形成部材を載置し、該底面形成部材の上端の両側端を前記水路用ブロックの両側壁の内壁に摺接させ、前記基礎コンクリートの上側と前記水路構築用ブロックを構成する両側壁の内側と底面形成部材下側との間の空隙部に充填材を充填して固化させてなり、前記底面構成部材は、塩化ビニール又は粗度係数が０．０１２未満の材料から構成することを特徴とした水路の構築方法。
【請求項３】
以下のように構成したことを特徴とする水路の構造。
(1)  基礎コンクリートの上に、下方が開口している水路構築用ブロックを載置する。
(2)  前記水路構築用ブロックの内側で、前記基礎コンクリートの上に、水路用溝を有する底面構成部材を載置する。
(3)  前記底面構成部材は、「下方にアールをつけて凸湾曲している形状」又は「前記水路用ブロックの内壁面に沿って折れ曲がり下方に突出している形状」であって、かつ塩化ビニール又は粗度係数が０．０１２未満の材料から構成する。
(4)  前記底面形成部材の上端の両側端を、前記水路用ブロックの両側壁の内壁に摺接させ、前記基礎コンクリートの上側と前記水路構築用ブロックを構成する両側壁の内側と底面形成部材下側との間の空隙部に充填材を充填して固化させる。
【発明の詳細な説明】
【０００１】
【発明の属する技術分野】
この発明は、地面に溝条を掘削し、この掘削した溝条の中に、複数個の水路構築用のコンクリートブロックを長尺方向に連結しつつ埋設して水路を構築する方法及び水路の構造に関し、特に、設計時に予定していた所定の水路勾配と、流水量を満足することのできる水路を、効率よくかつ正確な勾配で構築する方法と、掘削・埋め戻し・残土処理等の土工量の減少を図り、効率的かつ経済的な水路の構築方法及び水路の構造に関する。
【０００２】
【従来の技術】
従来、複数個の水路構築用のコンクリートブロックを長尺方向に連結して所定の水路勾配を有する水路を構築する場合には、水路構築用のコンクリートブロックを基礎コンクリートの上に載置した後、構築後の水路の底面に長尺方向で所定の水路勾配を持たせるため、勾配を調整するコンクリートを水路の底部側に打設し、硬化させていた。
【０００３】
前記のように勾配を調整するためのコンクリートを水路の底部側に打設し、硬化させる際には、打設したコンクリートの表面を均して設計時に予定していた所定の水路勾配となるように調整していたが、この均す作業は、一般に、人力で行われており、作業に均一性がなかった。特に、水路の幅が小さく、水路高が深い水路の場合ほどこの作業は困難であり、設計時に予定していた所定の水路勾配通りに水路を構築することは難しかった。
【０００４】
また、勾配を調整するためのコンクリートを打設、硬化させて形成した水路の底面は、一般的に、コンクリートの二次製品に比較して粗度係数が大きく、この粗度係数の大きい水路底面の影響が構築された水路中を流れる水の流速、流量に大きく反映して、設計時に予定していた水の流れる量を確保できなくなるという問題もあった。
【０００５】
一方、前記のような水路構築に用いられるコンクリートブロックは、図９（ａ）、図１０（ａ）に示すように、これを構成する鉛直方向に伸びる両側壁３２ａ、３２ｂにおいて蓋板３４を支える掛止部３３ａ、３３ｂが設けられている部分が、一般的にコンクリートブロックの両側壁３２ａ、３２ｂから外側に向けて膨出する形状になっていた。このように、コンクリートブロックを構成する鉛直方向に伸びる両側壁に、外側方向に向けて膨出する部分が存在する水路構築用ブロックを水路の構築に使用すると、掘削・埋め戻し・残土処理等の土工量の量が増加せざるを得ないという問題点があった。
【０００６】
【発明が解決しようとする課題】
本願発明は、前記従来の水路の構築方法及び水路構築用ブロックに鑑み、水路勾配を調整するために水路の底面形成予定部に打設したコンクリートの表面の均しを人力で行うという作業を不要とし、設計時に予定していた所定の勾配を正確に有する水路を、簡単に効率よく構築することを可能にすると共に、粗度係数の小さい水路底面の形成を可能にして設計時に予定していた水の流れる量及び流速を確実に達成することのできる水路の構築方法を提案すること、更に、水路の構築に用いられるブロックであって、水路構築の際の掘削・埋め戻し・残土処理等の土工量の減少を図り、効率的かつ経済的な水路の構築に貢献することのできる水路構築用のブロックを提案することを目的としている。
【０００７】
【課題を解決するための手段】
本発明は、以下のように構成することにより、前記底面形成部材によって形成される水路底面の勾配を正確かつ簡単に調整可能とし、これによって前記課題の解決を図ったのである。
即ちこの発明は、予め設計通りの水路勾配に合わせて上端を切り揃えた複数の差し筋が上方に向けて突設されている基礎コンクリートの上に、下方が開口している水路構築用ブロックを載置すると共に、当該水路構築用ブロックの内側で、前記複数の差し筋の上に、上方に水路用溝を有し、かつ、「下方にアールをつけて凸湾曲している形状」又は「前記水路用ブロックの内壁面に沿って折れ曲がり下方に突出している形状」の底面形成部材を載置し、該底面形成部材の上端の両側端を前記水路用ブロックの両側壁の内壁に摺接させ、前記基礎コンクリートの上側と前記水路構築用ブロックを構成する両側壁の内側と前記底面形成部材下側との間の空隙部に充填材を充填して固化させてなり、前記底面構成部材は、塩化ビニール又は粗度係数が０．０１２未満の材料から構成することを特徴とした水路の構築方法である。また、他の発明は、基礎コンクリートの上に、下方が開口している水路構築用ブロックを載置すると共に、当該水路構築用ブロックの内側で、前記基礎コンクリートの上に、上方に水路用溝を有し、かつ、「下方にアールをつけて凸湾曲している形状」又は「前記水路用ブロックの内壁面に沿って折れ曲がり下方に突出している形状」の底面形成部材を載置し、該底面形成部材の上端の両側端を前記水路用ブロックの両側壁の内壁に摺接させ、前記基礎コンクリートの上側と前記水路構築用ブロックを構成する両側壁の内側と底面形成部材下側との間の空隙部に充填材を充填して固化させてなり、前記底面構成部材は、塩化ビニール又は粗度係数が０．０１２未満の材料から構成することを特徴とした水路の構築方法である。
【０００８】
更に、以下のような水路の構造とすることによって前記課題の解決を図ったものである。
即ち、以下のように構成したことを特徴とする水路の構造である。
(1)  基礎コンクリートの上に、下方が開口している水路構築用ブロックを載置する。
(2)  前記水路構築用ブロックの内側で、前記基礎コンクリートの上に、水路用溝を有する底面構成部材を載置する。
(3)  前記底面構成部材は、「下方にアールをつけて凸湾曲している形状」又は「前記水路用ブロックの内壁面に沿って折れ曲がり下方に突出している形状」であって、かつ塩化ビニール又は粗度係数が０．０１２未満の材料から構成する。
(4)  前記底面形成部材の上端の両側端を、前記水路用ブロックの両側壁の内壁に摺接させ、前記基礎コンクリートの上側と前記水路構築用ブロックを構成する両側壁の内側と底面形成部材下側との間の空隙部に充填材を充填して固化させる。
【０００９】
【発明の実施の形態】
すなわち、この発明が提案する水路の構築方法は、複数の差し筋が上方に向けて突設されている基礎コンクリートの上に、下方が開口している水路構築用ブロックを載置すると共に、当該水路構築用ブロックの内側で前記複数の差し筋の上に、上方に水路用溝を有する底面形成部材を載置し、前記基礎コンクリートの上側と前記水路構築用ブロックを構成する両側壁の内側と前記底面形成部材下側との間の空隙部に充填材を充填して固化させることを特徴とした水路の構築方法である。
【００１０】
前記において、複数の差し筋が上方に向けて突設されている基礎コンクリートは水路を構築する現場において構築することも可能であるし、予め工場で製造したプレキャスト製品とすることもできる。
【００１１】
複数の差し筋は構築する水路の予定されている勾配、上方に水路用の溝を有する底面形成部材の下面側の形状に合わせて、基礎コンクリートの上方に突出する高さを調節する必要があり、この調節は、現場で、複数の差し筋が上方に向けて突設されている基礎コンクリートを構築する際に、あるいは工場で複数の差し筋が上方に向けて突設されている基礎コンクリートを予めプレキャスト製品として製造する際に、差し筋を設計通りの高さに切り揃えることによって行うことができる。また、必要ならば、水路構築の現場において、現場で構築する複数の差し筋が上方に向けて突設されている基礎コンクリートのコンクリートが硬化した後に、あるいは工場でプレキャストした複数の差し筋が上方に向けて突設されている基礎コンクリートを水路構築予定の基礎材の上に配設した後に、基礎コンクリートの上方に突設されている複数の差し筋の上端側を適宜に切断して微調整を行う。
【００１２】
なお、本発明は、前記の他に、複数の差し筋が上方に向けて突設されている基礎コンクリートを用いずに水路を構築する水路の構築方法も提案するものである。すなわち、基礎コンクリートの上に、下方が開口している水路構築用ブロックを載置すると共に、当該水路構築用ブロックの内側で前記基礎コンクリートの上に、上方に水路用溝を有する水路の底面形成部材を載置し、前記基礎コンクリートの上側と前記水路構築用ブロックを構成する両側壁の内側と底面形成部材下側との間の空隙部に充填材を充填して固化させることを特徴とした水路の構築方法である。
【００１３】
複数の差し筋が上方に向けて突設されている基礎コンクリートを用いる場合には、複数の差し筋のそれぞれの高さを切り揃えて調整することにより、この上に載置される底面形成部材の傾き、すなわち水路が構築された際の水路勾配を容易に、かつ正確に調整することができる。
【００１４】
一方、水路が構築された際の水路勾配が基礎コンクリート上面の勾配と同一でよい、すなわち水路が構築された際の水路勾配が水路構築用ブロックの頂板の勾配と同一でよい場合には、前記のように複数の差し筋が上方に向けて突設されている基礎コンクリートを用いずに水路を構築することもできる。
【００１５】
いずれの場合であっても、構築された水路１２（図５、図６）の水底は粗度係数が小さく、予め工場で製造されている上方に水路用溝２９（図５（ａ）、（ｂ））、３０（図５（ｃ）、３９（図６（ａ）、（ｂ））、４１（図６（ｃ））を有する水路の底面形成部材７（図５（ａ）、（ｂ））、１８（図５（ｃ）、１９（図６（ａ）、（ｂ））、２０（図６（ｃ））によって構成されているので、水路１２内を流れる水の流速、流量を設計時に予定していたものとすることができる。
【００１６】
また、この発明が提案する水路構築用ブロックは、下方が開口している水路構築用ブロックであって、鉛直方向に伸びる両側壁の外面が互いに平行になるように形成されていると共に、前記両側壁内面上端側の対向する所定位置に、蓋板掛止用の掛止部が設けられていることを特徴とする水路構築用ブロックである。
【００１７】
前記のように構成した水路構築用ブロックによれば、これを構成する鉛直方向に伸びる両側壁の外面が互いに平行であって、かつ、蓋板掛止用の掛止部が当該両側壁の内面に設けられているので、両側壁の外側に膨出する部分が存在しない。そこで、この水路構築用ブロックを水路の構築に用いれば、掘削・埋め戻し・残土処理等の土工量を減少させると共に、埋め戻し作業の容易化、水路設置幅の狭小化を達成することができ、建設コストの低減、建設作業の省力化、土地の有効活用を図ることができる。
【００１８】
また、蓋板掛止用の掛止部が当該両側壁の内面に設けられているので、当該掛止部の間に掛け渡される蓋板の幅を狭くすることができる。従来の水路構築に用いられるコンクリートブロックでは、これを構成する鉛直方向に伸びる両側壁において蓋板を支える掛止部が設けられている部分が、当該コンクリートブロックの両側壁から外側に向けて膨出する形状になっていて、蓋板は、前記掛止部に掛け渡すために長い幅を必要としていたが、本発明の水路構築用ブロックを用いれば、従来使用されていた蓋板に比較して、前記のように掛止部に掛け渡すための幅を狭くできるので、蓋板の厚みを減らし、軽量化を図っても必要な強度を確保することができ、蓋板の製造原料を減らして低コスト化を図ると共に、蓋板表面の面積が少なくなるがゆえに、蓋板への表面化粧も安価に行うことが可能になる。
【００１９】
以下、添付図面を用いて本発明の好ましい実施例を説明する。
【００２０】
【実施例１】
図１、図２は、本発明の水路の構築方法を説明するものである。
【００２１】
基礎材１３の上に、複数の差し筋２ａ、２ｂ、３ａ、３ｂが上方に向けて突設されている基礎コンクリート１を設ける。次いで、下方が開口している水路構築用ブロック４を基礎コンクリート１の上に、矢示６のように載置すると共に（図１（ａ））、矢示８のように、上方に水路用溝２９（図５（ａ））を有する水路の底面形成部材７を、水路構築用ブロック４内に装入し、水路構築用ブロック４の内側で、複数の差し筋２ａ、２ｂ、３ａ、３ｂの上に、底面形成部材７を載置する（図１（ｂ））。
【００２２】
次いで、矢示１０のように、基礎コンクリート１の上側と、水路構築用ブロック４を構成する両側壁５ａ、５ｂの内側と、底面形成部材７の下側との間の空隙部に充填材９を充填し（図１（ｂ））、固化させて水路を構築する水路の構築方法である。
【００２３】
図２に示した水路の構築方法は、先に、上方に水路用溝２９（図５（ａ））を有する水路の底面形成部材７を、矢示１６のように、水路構築用ブロック４内に装入し（図２（ａ））、次にこの内部に底面形成部材７が嵌装されている水路構築用ブロック４を、矢示６のように、複数の差し筋２ａ、〜、３ｂが上方に向けて突設されている基礎コンクリート１の上に載置するという点のみが、図１図示の水路の構築方法と相違しているのみである。
【００２４】
また、図１、図２図示の他に、図示してはいないが、上方に水路用溝２９（図５（ａ））を有する底面形成部材７を、複数の差し筋２ａ、〜、３ｂが上方に向けて突設されている基礎コンクリート１の当該複数の差し筋２ａ、〜、３ｂの上に載置した後、下方が開口している水路構築用ブロック４を当該基礎コンクリート１の上に載置し、次いで、基礎コンクリート１の上側と、水路構築用ブロック４を構成する両側壁５ａ、５ｂの内側と、底面形成部材７の下側との間の空隙部に充填材９を充填し、固化させて水路を構築することもできる。
【００２５】
以上説明したいずれの工程も、複数の差し筋が上方に向けて突設されている基礎コンクリートの上に下方が開口している水路構築用ブロックを載置すると共に、当該水路構築用ブロックの内側で前記複数の差し筋の上に、上方に水路用溝を有する底面形成部材を載置し、前記基礎コンクリートの上側と前記水路構築用ブロックを構成する両側壁の内側と前記底面形成部材下側との間の空隙部に充填材を充填して固化させるという本発明の水路の構築方法に該当するものである。
【００２６】
図５（ａ）は、以上に説明して構築した水路の断面を現す図である。以上で説明した水路の構築方法によれば、このように充填材９が硬化した時点で水路底面が形成されて水路１２が構築されるので、水路構築の工期を短縮することができ、極めて効率よく水路を構築できる。
【００２７】
前記において、基礎コンクリート１から上方に向けて突設されているの複数の差し筋２ａ、２ｂ、３ａ、３ｂは、底面形成部材７の支えとしての役割と、水路底面形成の補助をなすものである。そこで、例えば、図１、図２図示の場合、図中、右手側から左手側に向けて傾斜させる（いわゆる左肩下がりに傾斜させる）必要がある時には、差し筋３ａ、３ｂが基礎コンクリート１の上方に突出する高さを、差し筋２ａ、２ｂが基礎コンクリート１の上方に突出する高さより大きくなるように調整すればよい。また、複数の差し筋の基礎コンクリート１から上方に向けて突出する高さを任意に調節することによって、希望する正確な勾配を有する水路を簡単に構築することができる。
【００２８】
ここで、基礎材１３、基礎コンクリート１ともその構築は、従来この技術分野で公知の方法にて行うことができ、複数の差し筋２ａ、２ｂ、３ａ、３ｂが上方に向けて突設されている基礎コンクリート１は、水路を構築する現場に於いて構築することもできるし、予め工場にて製造しておいたプレキャスト製品を、現場に於いて構築した基礎材１３の上に配設することもできる。いずれの場合であっても、差し筋が基礎コンクリート１の上方に突出する高さを任意に調整して構築できるので、構築後の水路底面を設計通りの正確な水路勾配にさせることができる。
【００２９】
また、必要ならば、現場に於いて構築した基礎コンクリート１のコンクリートが硬化した後に、あるいは、予め工場にて製造しておいたプレキャスト製品たる基礎コンクリート１を基礎材１３の上に配設した後に、複数の差し筋２ａ、〜、３ｂの上端側を切り揃えて、更に微調整を行い、設計通りのより正確な水路勾配を有した水路を構築する。
【００３０】
なお、複数の差し筋２ａ、〜、３ｂは、図５（ａ）に示したように、基礎コンクリート１と底面形成部材７との間の付着をよくし、両者を強固に一体化することに貢献するという副次的な役割をも果たし得る。
【００３１】
また、この実施例では、２組の差し筋２ａ、〜、３ｂを用いたが、差し筋は前述した役割を果たすものであるので、水路構築用ブロック４の長尺方向の長さ等に応じて、３組、４組等設けても差し障りない。また、図１、図２図示の場合であって、いわゆる左肩下がり、あるいは右肩下がりに傾斜させる時に、差し筋３ａ、３ｂのみ、あるいは差し筋２ａ、２ｂのみを突設させることもできる。この場合に、どちらか一方だけ設けた差し筋、例えば差し筋３ａ、３ｂの相互の突設している高さを調整して（例えば、差し筋３ａの方を差し筋３ｂより高く突設させる）、傾斜角度を調節することもできる。いずれの場合も、「複数の差し筋が上方に向けて突設されている」という本発明の概念に含まれるものである。
【００３２】
前記において、上方に水路用溝２９（図５（ａ））を有する水路の底面形成部材７は、従来の水路構築方法のように、水路勾配を調整するためのコンクリートを水路の底部側に打設し、設計されていた水路の勾配となるように、この打設したコンクリートの表面を人力によって均した後に硬化させるという作業を不要にし、また、予め高さを設計通りに調節されて基礎コンクリート１上方に突設されている前記複数の差し筋と協働して、設計通りの正確な水路勾配を得ると共に、構築された水路底面の粗度係数を通常のコンクリート二次製品より小さなものにすることによって、前記設計通りの正確な水路勾配と合わせて、構築後の水路を流れる水量、流速を増大させ、これによって水路の断面が小さくても、より多くの水量を流動させることのできる水路であって、泥、ごみなどが溜まりにくく、維持管理が容易で、維持管理費用の低減化を図り得る水路を構築するために用いられるものである。
【００３３】
そこで、塩化ビニールなどのように、粗度係数が少なくともコンクリートの二次製品より小さい部材を材料として底面形成部材７を構成することが好ましい。
前記塩化ビニールの粗度係数は０．００９〜０．０１２であり、一方、滑らかなコンクリート管（スチールフォーム使用、継目平滑）の粗度係数は０．０１２〜０．０１４である（前記粗度係数の数値は、いずれも、昭和４６年度改訂版「水理公式集」による。）。従来のように水路勾配を調整するためのコンクリートを打設し、このコンクリートの表面を人力によって均した後に硬化させて水路底面としていた場合における水路底面の粗度係数は、この滑らかなコンクリート管（スチールフォーム使用、継目平滑）の粗度係数より大きなものであるので、塩化ビニールのように少なくともコンクリートの二次製品より粗度係数が小さい部材を材料として底面形成部材７を構成すれば、従来のように水路勾配を調整するためのコンクリートを打設し、このコンクリートの表面を人力によって均した後に硬化させて水路底面としていた場合に比較して、はるかに粗度係数の小さな水路底面とすることができ、構築された水路中を流れる水の流速を飛躍的に増大させることができる
なお、底面形成部材７としては、前記の塩化ビニール製のみでなく、通常のコンクリート二次製品より粗度係数が小さいものであれば、いかなる材質のものも採用できる。通常のコンクリート二次製品より粗度係数が小さければ、構築された水路中を流れる水の流速を、水路勾配調整用コンクリートの表面を均して水路底面を形成していた従来の水路の場合より少なくとも速めることができるからである。
【００３４】
更に、前記のように塩化ビニール等粗度係数の数値が判明している部材で底面形成部材７を構成するだけでなく、水路構築用ブロック４も工場でプレキャストしたものであるので、予めその内周壁の粗度係数が判明しており、これによって、前述したように水路勾配を極めて正確に、設計通りの数値にすることが可能であるのと合わせて、水路中を流れ得る水の量を正確な数値として算出することができ、水路を構築する現場の状況に合致させて、必要な水路の深さ、水路の横幅、水路の断面面積、水路の勾配を考慮して、最も効率のよい、また経済的な水路構築を行うことができる。
【００３５】
なお、上方に水路用溝２９（図５（ａ））を有する底面形成部材７は、前述した底面形成部材７の役割を果たし得るものであれば、図１、図２、図５（ａ）図示のように、下方にアール（Ｒ）をつけて凸湾曲している形状の他、図６（ａ）図示のように、水平な基礎コンクリート１の上面と、水路構築用ブロック４の鉛直方向に伸びる両側壁５ａ、５ｂの内壁面の形状に沿って折れ曲がり、下方に突出している構成のいずれにすることもできる。
【００３６】
いずれの構成においても、底面形成部材７の横幅は、水路構築用ブロック４の鉛直方向に伸びる両側壁５ａ、５ｂの内壁同士の間隔（幅）に適合するサイズにしておくことが好ましい。このようなサイズにしておけば、図１、図２図示のいずれの構築手順においても、また、先に底面形成部材７を複数の差し筋が上方に突設されている基礎コンクリートの上に載置し、その上方から水路構築用ブロック４を置く場合であっても、底面形成部材７の上端の両側端外側がそれぞれ水路構築用ブロック４の両側壁５ａ、５ｂの内壁に摺接し、緊密な嵌装状態が達成されると共に、充填材９を矢示１０（図１（ｂ）、図２（ｂ））のように空隙部に充填して固化させる際にも、充填材９が水路１２となる側に漏れ出すおそれがなくなる。
【００３７】
また、底面形成部材は、図１、図２、図５（ａ）、図６（ａ）図示のように、半管状にしておくだけでなく、図５（ｃ）に底面形成部材１８として現したように、その両側端１８ａ、１８ｂを水路構築用ブロック４の両側壁５ａ、５ｂの内壁に沿って上側まで伸ばした構成とすることもできる。このようにすれば、構築された水路１２の水と接触する部分は、すべて粗度係数が小さく、しかも予め粗度係数が判明している部材によって構成されているので、水路中を流動し得る水の量、流速などを設計通りに構築する上では有利である。
【００３８】
前記において、充填材９は、水路構築用ブロック４と、基礎コンクリート１と、底面形成部材７とを一体化させ、底面形成部材７をして水路構築用ブロック４及び基礎コンクリート１に固着された水路底面を形成させ、この形成された水路底面の水密性を向上させるために用いるものである。そこで、これらの機能を発揮し得るものであれば、セメントペーストやモルタルなどのグラウト材、あるいはコンクリートなど従来公知の充填材を使用できる。
【００３９】
この充填材９と底面形成部材７との間の結合、固着をより良好なものとするために、図示していないが、底面形成部材７の下面に凹凸模様をつけたり、突起を設けることもできる。
【００４０】
なお、充填材９を図１、図２中、矢示１０のように充填する際には、底面形成部材７が、差し筋２ａ、２ｂ、３ａ、３ｂによって予定されている設計通りの勾配に傾くように、前もって、水路構築用ブロック４の頂板５ｃに設けられている開口２７から棒などで底面形成部材７を下方向に押さえ付けるが、充填材９を充填している際に底面形成部材７が上方に浮き上がってしまい設計通りの水路勾配を得れなくなることを防止するためには、図７（ａ）図示のように、開口２７から紐部材１４に結び付けられた重し４２を挿入して底面形成部材７の上に置き、充填材９が硬化した後、重し４２を開口２７を介して取り出すことが望ましい。
このようにして水路の底面が形成された後、開口２７に蓋板１１を嵌装することになる。また、充填材９が横に漏れ出すことを防止するためには、図７（ｂ）図示のように、水路構築用ブロック４の両側壁５ａ、５ｂの下端外側と基礎コンクリート１上面との間に、予めモルタル１５ａ、１５ｂ等で横漏れ防止の処置を行っておくことが好ましい。
【００４１】
【実施例２】
図３は、この発明の他の水路構築方法を説明するものである。
【００４２】
図１、図２図示の実施例１では、複数の差し筋２ａ、２ｂ、３ａ、３ｂが上方に向けて突設されている基礎コンクリート１を用いたが、この図３図示の実施例２では、差し筋が上方に向けて突設されていない（すなわち、図３中、上面が平坦で突起部が存在しない）基礎コンクリート１７を用いている点が、図１、図２図示の実施例１と相違している。
【００４３】
図１、図２で図示した実施例１の水路の構築方法は、構築された水路における水路底面の水路勾配が、基礎コンクリート１上面の勾配とは異なる、すなわち水路１２が構築された際の水路勾配が水路構築用ブロック４の頂板５ｃの勾配（通常、この水路構築用ブロック４の頂板５ｃの勾配は水路１２が構築される道路の勾配に等しい）と異なる場合に有効であるが、水路１２が構築された際の水路勾配が基礎コンクリート１７上面の勾配と同一でよい、すなわち水路１２が構築された際の水路勾配が水路構築用ブロック４の頂板５ｃの勾配（すなわち、水路１２が構築される道路の勾配）と同一でよい場合には、この図３図示の実施例２のように、差し筋が上方に向けて突設されていない基礎コンクリート１７を用いて水路を構築することができる。
【００４４】
この実施例２の水路構築方法による場合であっても、水路１２が構築された際の水底は、粗度係数が小さく、予め工場で製造されている塩化ビニール製の底面形成部材７によって構成されているので、前記実施例１で説明したように、水路内を流れる水の流速、流量を設計時に予定していたものとすることができる。
【００４５】
なお、図３では、差し筋が上方に向けて突設されていない基礎コンクリート１７の上に、上方に水路用溝２９（図５（ｂ））を有する底面形成部材７を載置し、次いで、水路構築用ブロック４をこれらの上方から矢示６のように載置した後（図３（ａ））、充填材を矢示１０のように充填しているが（図３（ｂ））、先に、基礎コンクリート１７の上に水路構築用ブロック４を載置した後、底面形成部材７を水路構築用ブロック４内に装入し、次いで、充填材を矢示１０のように充填する工程を採用することももちろん可能である。
【００４６】
前記いずれの工程も、基礎コンクリートの上に下方が開口している水路構築用ブロックを載置すると共に、当該水路構築用ブロックの内側で前記基礎コンクリートの上に、上方に水路用溝を有する底面形成部材を載置し、前記基礎コンクリートの上側と前記水路構築用ブロックを構成する両側壁の内側と底面形成部材下側との間の空隙部に充填材を充填して固化させるという本発明の水路の構築方法に該当するものである。
【００４７】
図５（ｂ）は、この実施例２の方法で構築した水路１２を現す断面図である。
図５（ｃ）は、この実施例２の方法で構築した水路１２を現す他の断面図であって、底面形成部材１８の両側端１８ａ、１８ｂを水路構築用ブロック４の両側壁５ａ、５ｂの内壁に沿って上側まで伸ばした構成にした場合を説明するものである。図６（ｂ）は、この実施例２の方法で構築した水路１２を現す他の断面図であって、上方に水路用溝を有する他の底面形成部材１９を用いた場合を説明するものである。
【００４８】
図６（ｃ）は、この実施例２の方法で構築した水路１２を現す更に他の断面図であって、底面形成部材２０の両側端２０ａ、２０ｂを水路構築用ブロック４の両側壁５ａ、５ｂの内壁に沿って上側まで伸ばせることを説明するものであるが、この図６（ｃ）図示の実施例では、充填材９を用いずに、基礎コンクリート１７の上に敷設した敷きモルタル２１を用いている点で、これまで説明してきた実施例と異なる。
【００４９】
すなわち、差し筋が上方に向けて突設されていない基礎コンクリート１７を用いる場合には、充填材９を用いずに、敷きモルタル２１のようなこの技術分野で公知の結合材を用いて、水路構築用ブロック４と、基礎コンクリート１７と、上方に水路用溝４１を有する底面形成部材２０とを一体化させ、底面形成部材２０をして水路構築用ブロック４及び基礎コンクリート１７に固着された水路底面を形成させ、この形成された水路底面の水密性を向上させるという、前記実施例１で説明した充填材９の役割を果たさせることができる。
【００５０】
前記以外の水路構築の手順、方法、底面形成部材７、１８、１９、２０、充填材９などについては、実施例１と同一であるので説明を省略する。
【００５１】
図４は、基礎コンクリートの上で、水路構築用ブロック４ａ、４ｂ、４ｃ、４ｄ、４ｅを長尺方向に連設してなるこの発明の方法によって構築された水路を説明する一部を省略した正面図である。図４（ａ）は、水路１２が構築された際の水底２５の水路勾配２４が水路構築用ブロック４の頂板５ｃの勾配（すなわち、水路１２が構築される道路の勾配）２３と同一でよい場合であって、実施例２の構築方法によって水路を構築した時を説明するものである。図４（ｂ）は、水路１２が構築された際の水底２５の水路勾配２４が水路構築用ブロック４の頂板５ｃの勾配（すなわち、水路１２が構築される道路の勾配）２３と異なる場合であって、実施例１の構築方法によって水路１２を構築した時を説明するものである。図４（ｂ）では、差し筋２ａ、２ｂの突出高さの方を差し筋３ａ、３ｂの突出高さより大きくして、水路勾配２４の方が道路勾配２３より大きい、すなわち、水路１２中で水を急激に流動させたいときに構築される水路を説明するものである。これとは逆に、差し筋２ａ、２ｂの突出高さの方を差し筋３ａ、３ｂの突出高さより小さくして、水路勾配２４の方が道路勾配２３より小さい、すなわち、水路１２中で水を緩やかに流動させる、あるいは道路勾配２３とは逆の方向に水路１２中で水を流動させることもできる。
【００５２】
図４（ａ）、図４（ｂ）中、水路構築用ブロック４ｃと４ｄとの間には、留めマス２２が介在されている。水路１２中を流れてきた泥、ゴミなどは、この留めマス２２に溜まるので、一定期間ごとに、溜まった泥、ゴミなどをこの留めマス２２から取り出すことになる。
【００５３】
なお、本発明の水路の構築方法によって水路を構築した場合には、前記実施例１で説明したように、粗度係数の小さい底面形成部材７等を用いているので、水路１２中を流れる水の速度を早めることができ、泥、ゴミなどは、水路構築用ブロック４ａ、４ｂ、４ｃで構成されている水路中にはほとんど残らず、ほとんどすべてが留めマス２２まで流動して、そこに溜まるので、一定期間ごとに留めマス２２から溜まっている泥、ゴミなどを取り出すのみでよく、水路の維持、管理が容易になる。
【００５４】
【実施例３】
図８乃至図１１を用いて本発明が提案する水路構築用ブロックを説明する。
【００５５】
本発明が提案する水路構築用ブロック４（図８）、４４（図１１）は、図８（ｄ）、図１１（ｄ）に示すように、下方が開口している水路構築用ブロックであって、鉛直方向に伸びる両側壁５ａ、５ｂ（図８）、４５ａ、４５ｂ（図１１）の外面が互いに平行に形成されていると共に（図８（ｄ）、図１１（ｄ））、両側壁内面上端側の対向する所定位置に、蓋板掛止用の掛止部２６ａ、２６ｂ（図８）、４６ａ、４６ｂ（図１１）が設けられているものである。
【００５６】
図８、図１１は、本発明が提案する水路構築用ブロックの２つの形態をそれぞれ六面図で現したものである。図８（ａ）、図１１（ａ）は、この発明の水路構築用ブロックの正面図であって、背面図は、それぞれ同一に現れる。図８（ｂ）、図１１（ｂ）は、この発明の水路構築用ブロックの平面図、図８（ｃ）、図１１（ｃ）は、この発明の水路構築用ブロックの底面図である。図８（ｄ）、図１１（ｄ）は、この発明の水路構築用ブロックの左側面図であり、右側面図はそれぞれ同一に現れる。図８（ｅ）、図１１（ｅ）は、この発明の水路構築用ブロックの図８（ｂ）、図１１（ｂ）中、中央縦断面図である。前記実施例１、実施例２で説明した本発明の水路構築方法では、図８に図示されている本発明の水路構築用ブロック４が使用されているので、実施例１、実施例２の説明で使用した図１乃至図７に図示されている部材と同一の部材については、図８において同一の符号を用いている。
【００５７】
前記のように構成した本発明の水路構築用ブロックによって奏される作用、効果を、図９、図１０を用いて、従来の水路構築用ブロックと比較して以下に説明する。
【００５８】
図９（ａ）、図１０（ａ）は、従来の水路構築用ブロックを用い、従来の水路構築方法に基づいて構築した水路３５の断面を現すものである。従来の水路構築方法に基づいて構築されているので、水路の底部３６は、水路勾配を所望の勾配にするべく、水路構築用ブロックを構成する両側壁３２ａ、３２ｂの内側であって、基礎コンクリート３１の上に、勾配調整用コンクリートを打設した後、その表面を人力によって均し、硬化させて形成されている。
【００５９】
一方、図９（ｂ）、図１０（ｂ）は、図８図示の本発明の水路構築用ブロック４を用い、実施例１で説明した本発明の水路構築方法に基づいて構築した水路１２の断面を現すものである。
【００６０】
従来の水路構築用ブロックでは、図９（ａ）に示すように、鉛直方向に伸びる両側壁３２ａ、３２ｂにおいて、蓋板３４を掛止するための掛止部３３ａ、３３ｂが設けられている部分は、両側壁３２ａ、３２ｂの外側方向に膨出するように形成されていた。
【００６１】
一方、本発明の水路構築用ブロック４においては、前述した構成を採用したため、図９（ｂ）に示すように、鉛直方向に伸びる両側壁５ａ、５ｂにおいて、蓋板１１を掛止するための掛止部２６ａ、２６ｂが設けられている部分は、両側壁５ａ、５ｂの外側方向に膨出する部分２８ａ、２８ｂを有していない。
【００６２】
このため、水路構築用ブロック４の横幅ｌ2 は、従来の水路構築用ブロックの横幅ｌ1 より小さくなるので、掘削高さを同一とすれば、掘削幅Ｌ2 は従来の水路構築用ブロックを用いた場合の掘削幅Ｌ1 より小さくなるので、本発明の水路構築用ブロック４を埋設するために掘削しなければならない土の量は少なくなる。同様に、本発明の水路構築用ブロック４を用いた方が従来の水路構築用ブロックに比較して埋戻し量、残土量も減少することになる。
【００６３】
更に、図１０（ａ）、（ｂ）図示のように、側溝に隣接する構造物、例えば、Ｌ型擁壁４０が存在する場合、従来の水路構築用ブロックを用いると、図１０（ａ）中、符号３７で現す部分には、土砂やコンクリート等を装入することが困難であり、Ｌ型擁壁４０からある程度、離して水路構築用ブロックを埋設しなければならなくなり、その分、道路幅を狭くせざるを得ないが、本発明の水路構築用ブロック４を用いると、図１０（ｂ）図示のように、Ｌ型擁壁４０に接触させて埋設することが可能になるので、結果として道路幅を広くできる。
【００６４】
また、図１０（ａ）中、符号３８で現す部分は、埋め戻し時に転圧があまり掛からない部分であり、転圧があまりきかないため、従来の水路構築用ブロックでは無理をして側溝を破壊してしまうことがあったが、本発明の水路構築用ブロック４では、一様に転圧できるので、埋め戻し時に側溝が破壊されるおそれを未然に防止できる。
【００６５】
以上の結果、本発明の水路構築用ブロック４によれば、掘削・埋め戻し作業の容易化、水路設置幅の狭小化を達成することができ、建設コストの低減、建設作業の省力化、土地の有効活用を図ることができる。
【００６６】
更に、前記のように横幅が小さくなることから、開口部２７（図８（ｂ）、（ｃ）、４７（図１１（ｂ）、（ｃ））に嵌装する蓋板１１の幅を、従来の水路構築用ブロックの開口部に嵌装していた蓋板３４の幅に比較して狭くすることができる。これによって、本発明の水路構築用ブロック４を用いれば、従来使用されていた開口部への嵌装用の蓋板３４に比較して、前記のようにその横幅を小さくできるので、蓋板１１の厚みを減らし、軽量化を図っても必要な強度を確保することができ、蓋板１１の製造原料を減らして低コスト化を図ると共に、蓋板１１の表面の面積が少なくなるがゆえに、蓋板１１への表面化粧も安価に行うことが可能になる。
【００６７】
図１１図示の水路構築用ブロック４４は、鉛直方向に伸びる両側壁４５ａ、４５ｂの外壁上端側が、肩部４８ａ、４８ｂから上方にかけて窪んでいるように構成したものである。水路構築用ブロック４４の成型、水路構築用ブロック４４を用いて水路を構築する際の施工の容易性等を考慮したものであるが、前記水路構築用ブロック４（図８）が発揮し得る作用、効果と同一の作用、効果を発揮し得る点においては、両者に相違はない。
【００６８】
なお、前記実施例１、２で説明した本発明の水路構築方法においては、この実施例３で説明した本発明の水路構築用ブロック４を用いて水路を構築することを図面で現したが、図９（ａ）、図１０（ａ）に図示した従来の水路構築用ブロックを用いて前記実施例１、２で説明した本発明の水路構築方法を実施することももちろん可能である。
【００６９】
本発明の水路構築方法において、従来の水路構築用ブロックを用いれば、図９（ａ）、図１０（ａ）中、勾配調整用コンクリートで構成されている水路の底部３６が、図９（ｂ）、図１０（ｂ）図示のように、上方に水路用溝を有する底面構成部材７と、これを支え、かつこの底面構成部材７と複数の差し筋２ａ、２ｂが上方に突設されている基礎コンクリート１、水路構築用ブロック４の両側壁５ａ、５ｂとを結合、一体化させている充填材９とに置き代えられることになり、これによっても、前記実施例１、２で説明した本発明の水路構築方法による優れた効果が発揮されるからである。
【００７０】
ただし、実施例１、２で説明した本発明の水路構築方法において、この実施例３で説明した本発明の水路構築用ブロック４、４４を用いれば、前記実施例１、２で説明した本発明の水路構築方法による優れた効果に加えて、この実施例３で説明した本発明の水路構築用ブロック４、４４特有の効果が発揮されることになり、その相乗効果によって、水路構築の容易化、工期の短縮化、良好な経済性等が更に良好なものとなる。
【００７１】
【発明の効果】
この発明の水路構築方法によれば、従来の水路の構築方法において、水路勾配を調整するために水路の底面形成予定部にコンクリートを打設して、このコンクリートの表面を人力で均していた作業を不要とし、設計時に予定していた所定の勾配を正確に有する水路を、簡単に効率よく構築するができ、更に、粗度係数の小さい水路底面の形成を可能にして、設計時に予定していた水の流れる量及び流速を確実に達成できる水路を構築することができる。
【００７２】
また、この発明の水路構築用ブロックによれば、水路構築の際の掘削・埋め戻し・残土処理等の土工量の減少を図り、効率的かつ経済的な水路の構築に貢献することができる。
【００７３】
更に、本発明の水路構築用ブロックを本発明の水路構築方法に用いれば、前述した効果を相乗させ、水路構築の容易化、工期の短縮化、良好な経済性等を更に良好なものとすることができる。
【図面の簡単な説明】
【図１】  この発明の水路構築方法を説明する斜視図であって、（ａ）は水路構築用ブロックを基礎コンクリート上に載置する前の状態を現す斜視図、（ｂ）は底面形成部材を装入した状態を現す斜視図。
【図２】  この発明の水路構築方法を説明する斜視図であって、（ａ）は底面形成部材が嵌装された水路構築用ブロックを基礎コンクリート上に載置する前の状態を現す斜視図、（ｂ）は載置後の状態を現す斜視図。
【図３】  この発明の他の水路構築方法を説明する斜視図であって、（ａ）は水路構築用ブロックを基礎コンクリート上に載置する前の状態を現す斜視図、（ｂ）は載置後の状態を現す斜視図。
【図４】  この発明の水路構築方法によって構築された水路の傾斜状況を説明する正面図であって、（ａ）は水路勾配が道路の勾配と等しい場合を説明する一部を省略した正面図、（ｂ）は水路勾配が道路の勾配より大きい場合を説明する一部を省略した正面図。
【図５】  （ａ）この発明の水路構築方法によって構築された水路の断面図、（ｂ）この発明の他の水路構築方法によって構築された水路の断面図、（ｃ）この発明の他の水路構築方法によって構築された他の水路の断面図。
【図６】  （ａ）この発明の水路構築方法によって構築された水路の断面図、（ｂ）この発明の他の水路構築方法によって構築された水路の断面図、（ｃ）この発明の他の水路構築方法によって構築された他の水路の断面図。
【図７】  この発明の水路構築方法を説明する断面図であって、（ａ）は底面形成部材の浮き上がり防止方法を説明する一部を省略した断面図、（ｂ）は充填材の横漏れ防止方法を説明する一部を省略した断面図。
【図８】  この発明の水路構築用ブロックを現す図であって（ａ）は正面図、（ｂ）は平面図、（ｃ）は底面図、（ｄ）は左側面図、（ｅ）は図８（ｂ）中、中央縦断面図。
【図９】  この発明の水路構築用ブロックと従来の水路構築用ブロックとの比較を現す図であって、（ａ）は従来の水路構築用ブロックの断面図、（ｂ）はこの発明の水路構築用ブロックの断面図。
【図１０】  この発明の水路構築用ブロックと従来の水路構築用ブロックとを用いた水路構築状態を説明する図であって、（ａ）は従来の水路構築用ブロックを用いた場合の断面図、（ｂ）はこの発明の水路構築用ブロックを用いた場合の断面図。
【図１１】  この発明の他の水路構築用ブロックを現す図であって（ａ）は正面図、（ｂ）は平面図、（ｃ）は底面図、（ｄ）は左側面図、（ｅ）は図１１（ｂ）中、中央縦断面図。
【符号の説明】
１  基礎コンクリート
２ａ、２ｂ、３ａ、３ｂ  差し筋
４、４４  水路構築用ブロック
２９、３０、３９、４１  水路用溝
７、１８、１９、２０  底面形成部材
９  充填材
１１  蓋板
１３  基礎材
１７  基礎コンクリート
５ａ、５ｂ、４５ａ、４５ｂ  水路構築用ブロックの両側壁
２６ａ、２６ｂ、４６ａ、４６ｂ  蓋板掛止用の掛止部
【図１】
0004555972.tif 000002
【図２】
0004555972.tif 000003
【図３】
0004555972.tif 000004
【図４】
0004555972.tif 000005
【図５】
0004555972.tif 000006
【図６】
0004555972.tif 000007
【図７】
0004555972.tif 000008
【図８】
0004555972.tif 000009
【図９】
0004555972.tif 000010
【図１０】
0004555972.tif 000011
【図１１】
0004555972.tif 000012